(57)【特許請求の範囲】
【請求項１】
表面が略球面であり、前記球面から前記球面の中心側へ後退する複数のディンプルを備えたゴルフボールにおいて、
前記表面にパット用打点部を備え、
前記パット用打点部は、前記球面の一部をなす前記ディンプルを備えない領域であり、
前記パット用打点部は、前記表面上にて直交する３つの大円の夫々に沿って形成された、３筋の環状の領域であり、
パット用打点部がなす環状の前記筋の夫々は、太さを４ｍｍより大きなものとするゴルフボール。

【発明の詳細な説明】
【技術分野】
【０００１】
本願発明は、ゴルフボールに関するものである。
【背景技術】
【０００２】
ゴルフがプレーされ始めた当初、ゴルフボールの表面は球面のみにて構成されたものであった。
現代のゴルフにおいては、ゴルフボールの表面に複数の窪み即ちディンプルを設けて飛距離を伸ばす工夫がなされている（特許文献１）。
【０００３】
ボールのような非線形の物体については、空気抵抗の飛距離への影響が極めて大きい。ボールの表面に複数の窪み即ちディンプルがあると、空気の流れがボール表面から剥離する点をディンプルのない場合に比べボールの後方へずれ込ませることができ、ボール後方の空気密度の薄い領域がディンプルのないボールより少なくなる。その結果抗力が下がる効果がある。またディンプルには適度な揚力を付与する効果もある。
ディンプルの配置や寸法については、現在でも日々研究が重ねられている（特許文献１及び２）。
【先行技術文献】
【特許文献】
【０００４】
【特許文献１】特許第３９８１８０９号公報
【特許文献２】特許第４３３７９５７号公報
【発明の概要】
【発明が解決しようとする課題】
【０００５】
パッティンググリーンの上へボールが乗るまでのゴルフコース内(以下フェアウエイと呼ぶ。)でのプレーでは、上記の通りディンプルにてボールの飛距離を稼ぐメリットが生かされる。その一方パッティンググリーン(以下グリーンと呼ぶ。)の上でカップを狙う際に、ディンプルの角（縁）にパターが当たり、狙った方向と異なる方向へボールを打ち出してしまうことがある。
しかし、フェアウエイでの飛距離向上のためディンプルの改良に注意が注がれ、パターのフェース素材の選択や個人のパッティング技術の工夫などが提案されるものの、現状においてボール表面を改良してグリーンでのパッティングのコントロールを向上させるという発想は皆無である。
本発明はゴルフボールについて、上記カップへ寄せる際ディンプルの影響を抑制したコントロールし易いボールの提供を図るものである。
【課題を解決するための手段】
【０００６】
本発明では、表面が略球面であり、前記球面から当該球の中心側へ後退する複数のディンプルを備えたゴルフボールについて、次の構成を採るものを提供する。
即ち、前記表面の少なくとも１箇所に、パット用打点部を備え、前記パット用打点部は、周囲を前記複数のディンプルに取り囲まれた、ディンプルを備えない領域であり、前記パット用打点部は、最小径を４ｍｍより大きなものとする領域である。
更に、本発明では、前記パット用打点部が、前記球面の一部をなすものであるゴルフボールを提供できた。
また、本発明では、前記各ディンプルが、前記球面へ設けられた窪みであり、前記表面の複数箇所に、前記パット用打点部を備え、複数の前記パット用打点部同士は、互いの間に１つ又は複数の前記ディンプルを挟んで配置されたゴルフボールを提供できた。
更に、本発明では、前記パット用打点部のうちの少なくとも一部である複数のパット用打点部は、前記表面の少なくとも１つの大円上に設けられたものであり、前記大円上のパット用打点部同士は、略等間隔を開けて配置されたゴルフボールを提供できた。
上記の大円とは、球面の中心を通る平面で切ったときにできる切り口の円（仮想円）をいう。
また更に、本発明では、前記表面の１つの大円を第１大円として、当該第１大円と直交する大円の１つを第２大円とし、前記パット用打点部のうちの２つは、前記第１大円と前記第２大円の交差点の夫々に配置され、前記交差点に配置されない前記パット用打点部のうちの一部である１つ又は複数のパット用打点部は、前記第１大円上に配置され、前記交差点に配置されない前記パット用打点部のうちの他の一部である１つ又は複数のパット用打点部は、第２大円上に配置されたものであるゴルフボールを提供できた。
更にまた、本発明では、表面が略球面であり、前記球面から前記球面の中心側へ後退する複数のディンプルを備えたゴルフボールにおいて、前記表面にパット用打点部を備え、前記パット用打点部は、前記球面の一部をなす前記ディンプルを備えない領域であり、前記パット用打点部は、前記表面上にて交差する少なくとも２つの大円の夫々に沿って形成された、少なくとも２筋の環状の領域であり、パット用打点部がなす環状の前記筋の夫々は、太さを４ｍｍより大きなものとするゴルフボールを提供できた。
【発明の効果】
【０００７】
本発明では、グリーンにおいてパッティングでカップを狙うプレーヤーが、パット用打点部即ちディンプルの設けられていない領域を、打つことができる。このため、パターのフェースがディンプルの縁と接触して打ち出し方向の精度が損なわれるという、従来の問題を回避できる。
更に、本発明において、パット用打点部の大きさを制限すると共にパット用打点部同士について球状のゴルフボールの１つの大円上へ略等間隔を開けて配置すること、特に、球状のゴルフボールの１つの大円を第１大円として、当該第１大円と直交する大円を第２大円とし、各パット用打点部を第１大円上と第２大円上の夫々へ配置するものとし、一部のパット用打点部を第１大円と第２大円の２つの交差点の夫々に配置することで、パッティングの際の上記効果を得つつも、パット用打点部の偏りを抑えた分布を確保した。即ちパット用打点部の存在によってディンプルが偏ることを抑制し、フェアウエイでのプレーでの飛距離や飛び方向への影響を抑えることを可能とした。また、二次的な効果であるが、上記のパット用打点部の偏りを抑える工夫は、ディンプルの分布の対称性の確保を可能とするものであり、ゴルフボールの公認球として利用できる幅を広げた。
【図面の簡単な説明】
【０００８】
【図１】（Ａ）は本発明に係るゴルフボールの略正面を示すパット用打点部の配置についての説明図、（Ｂ）は（Ａ）のゴルフボールを斜視した状態の説明図、（Ｃ）は（Ａ）のゴルフボール表面の略展開状態を示す説明図、（Ｄ）は（Ａ）のゴルフボールの一部切欠要部略正面図。
【図２】図１（Ｂ）へ示すゴルフボールの一部を切欠拡大し斜視した説明図、（Ｂ）は図１（Ｄ）のゴルフボールの拡大略正面図。
【図３】（Ａ）は上記パット用打点部付近のゴルフボール表面の一部切欠展開平面図、（Ｂ）は上記パット用打点部の他の実施の形態を示すゴルフボール表面の一部切欠展開平面図、（Ｃ）は上記パット用打点部の更に他の実施の形態を示すゴルフボール表面の一部切欠展開平面図、（Ｄ）は上記パット用打点部のまた更に他の実施の形態を示すゴルフボール表面の一部切欠展開平面図。
【図４】（Ａ）は上記パット用打点部のまた他の実施の形態を示すゴルフボール表面の一部切欠展開平面図、（Ｂ）は上記パット用打点部の更に他の実施の形態を示すゴルフボール表面の一部切欠展開平面図。
【図５】（Ａ）は上記パット用打点部の更に他の実施の形態を示すゴルフボール表面の一部切欠展開平面図、（Ｂ）は（Ａ）のゴルフボール表面でのパット用打点部の配置を示す説明図、（Ｃ）は（Ｂ）の配置の他の実施の形態を示す説明図、（Ｄ）は上記パット用打点部のまた更に他の実施の形態を示すゴルフボール表面の一部切欠展開平面図。
【図６】（Ａ）は上記パット用打点部のまた他の実施の形態を示す説明図、（Ｂ）は上記パット用打点部の更に他の実施の形態を示す説明図、（Ｃ）は上記パット用打点部のまた更に他の実施の形態を示す説明図、（Ｄ）は上記パット用打点部の更にまた他の実施の形態を示す説明図、（Ｅ）は上記パット用打点部のまた他の実施の形態を示す説明図。
【図７】（Ａ）はパット用打点部表面の他の実施の形態を示す説明図、（Ｂ）はパット用打点部表面のまた他の実施の形態を示す説明図、（Ｃ）はパット用打点部表面の更に他の実施の形態を示す説明図、（Ｄ）はパット用打点部表面のまた更に他の実施の形態を示す説明図、（Ｅ）はパット用打点部表面の更にまた他の実施の形態を示す説明図、（Ｆ）はパット用打点部表面のまた他の実施の形態を示す説明図、（Ｇ）はパット用打点部表面の更に他の実施の形態を示す説明図、（Ｈ）はパット用打点部表面のまた更に他の実施の形態を示す説明図、（Ｉ）はパット用打点部表面の更にまた他の実施の形態を示す説明図、（Ｊ）はパット用打点部表面のまた他の実施の形態を示す説明図。
【図８】（Ａ）は本発明に係るゴルフボールの試験装置の全体側面図、（Ｂ）は（Ａ）へ示す装置のパッティングマットの平面図、（Ｃ）は実験装置のハンマーの正面図、（Ｄ）は（Ｃ）のハンマーの先端面（打撃面）を示す底面図、（Ｅ）は実験するゴルフボールの略斜視図。
【図９】（Ａ）は図８（Ａ）へ示す装置の要部拡大側面図、（Ｂ）は（Ａ）の背面図、（Ｃ）は（Ａ）の装置の作動状態を示す要部拡大側面図、（Ｄ）は（Ｃ）の背面図。
【図１０】（Ａ）は周知のゴルフボールの一部切欠略断面図、（Ｂ）は実験のため（Ａ）のゴルフボールに加工を施した状態を示す一部切欠略断面図、（Ｃ）は実験のため（Ｂ）のゴルフボールへ更に加工を施した一部切欠略断面図、（Ｄ）は実験のため（Ａ）のゴルフボールへ他の加工を施した一部切欠略断面図、（Ｅ）は実験のため（Ａ）のゴルフボールへ更に他の加工を施した一部切欠略断面図、（Ｆ）は本発明に係る製品としてのゴルフボールの一部切欠略断面図。
【発明を実施するための形態】
【０００９】
以下、図面に基づき本願発明の実施の形態について説明する。
図１、図２及び図３（Ａ）へ本発明の一実施の形態を示す。
（ゴルフボール１の基本構成）
図１（Ａ）へ示す通り、ゴルフボール１は、略球体であり、ゴルフボール１の直径ｒ（最大径）は、４２ｍｍ以上とする。この例では、ゴルフボール１の直径は、４２．６７ｍｍである。但し、このような数値は、目的とするプレーに影響のない範囲で変更可能である。特に公式のプレーで公認球として使用する場合、ゴルフボールの直径ｒを上記４２．６７ｍｍとするのが好ましい。
ゴルフボールは、上記パット用打点部３を備える以外、周知の構成のものを採用することができる。
例えば、このゴルフボールには、ワンピース、ツーピース、スリーピース、フォーピース或いはファイブピースその他の周知の構造や、周知の素材のものを採用して実施することができる。
このゴルフボール１は、表面に複数のディンプル２とパット用打点部３とを備える。
尚、図面の煩雑を避けるため、図１（Ａ）（Ｂ）及び図２（Ａ）においてディンプル２を全て省略し、図１（Ｃ）においては一部のディンプル２のみ描いている。
また図１（Ｂ）において、一点鎖線にて、隠れたパット用打点部３を透視した状態に描いている。図１（Ｄ）及び図２（Ｂ）において、輪郭線として現れるディンプル１のみを描き正面側のディンプルを省略する。
ゴルフボール１の各部の構成について順に説明する。
【００１０】
（ディンプル２）
図１（Ｄ）及び図２（Ｂ）へ示す通り、上記ディンプル２の夫々は、ゴルフボール１がなす球の表面即ちゴルフボール表面が呈する球面から当該球の中心側へ後退するものである。
ディンプル２は、ゴルフボール１表面に設けられた窪みである。また、この例では、窪みであるディンプル２の縁は、円形であり特に真円である。ディンプル２が呈する窪みの内部は、全体が凹曲面をなす所謂中華鍋型とする。
各ディンプル２の口径（直径）は、３ｍｍ以上５ｍｍ以下とするのが好ましい。また、各ディンプル２の深さは０．１ｍｍ以上２ｍｍ以下とするのが好ましい。この例では、各ディンプル２の口径は３．３ｍｍである。また、ここでは複数のディンプルについて全て同じ形状・寸法のものを例示する。但しディンプル２の上記各寸法範囲は例示であり、パットの打ち出しの精度を損なわずフェアウエイでのプレーにも影響しないものであれば、上記数値範囲を外れたものを除外するものではない。
ディンプル２は、ゴルフボール１の表面に複数設けられており、一部のディンプル２が、上記パット用打部３を取り囲む。
【００１１】
（パット用打点部３）
図１（Ａ）（Ｂ）及び（Ｄ）へ示す通り、上記パット用打点部３は、ゴルフボール１が呈する前記球面の一部をなすものである。ゴルフボール１の表面において、上記ディンプル２が設けられた領域をディンプル領域とすると、パット用打点部３は、ディンプルが設けられていない非ディンプル領域である。
また、パット用打点部３は、パット用打点部３の周囲を取り囲む複数のディンプル２にて象られた領域でもある。
ゴルフボール１表面には、この例では図１（Ａ）〜（Ｃ）へ示す通り複数のパット用打点部３が分布する。
ゴルフボール１表面において、パット用打点部３以外の領域即ち上記ディンプル領域は、各パット用打点部３の領域全てを合わせたものより広いものとするのが好ましい。
特に、パット用打点部３は、最小径を４ｍｍより大きな領域とするのが好ましい。即ち、パット用打点部３である領域について、後述する頂点ｐを通る各方向の幅を４ｍｍより大きなものとする。
【００１２】
図２（Ａ）（Ｂ）へ示す通り、パット用打点部３の上記頂点ｐに接する接面ｋ（仮想面）へ垂直に投影されたパット用打点部３の輪郭線ｎの径、即ち当該投影された接面ｋ上の輪郭線ｎの径をパット用打点部３の平面径ｒ１と呼ぶ。
パット用打点部３の上記最小径とは、当該平面径ｒ１のうち最も小さいものをいう。
尚、上記接面ｋ上の輪郭線ｎを必要に応じて投影輪郭線ｎと呼ぶ。
一方、上記平面径ｒ１と区別するため、パット用打点部３のゴルフボール１表面上の輪郭線ｍを麓として、当該麓間の、パット用打点部３の上記頂点ｐを通り球であるゴルフボール１表面に沿う各方向の長さｒ２を、パット用打点部３の曲面径ｒ２と呼ぶ。パット用打点部の上記頂点ｐというのは、ゴルフボール表面が均一な厚みの変形しない層（仮想層）で形成されているものとして上記輪郭線ｍにて上記層を切り剥がしたと仮定した場合、切り剥がした当該層をその凸側を上にして水平な平面上に置いた際に最上となる位置即ち最も高い位置をいう。
図２（Ａ）（Ｂ）において矢印ｓ（仮想線）は、接面ｋに対する垂線、即ち頂点ｐにおける法線を示している。
ゴルフボールの直径ｒ（図１（Ａ））を上記４２．６７ｍｍとする場合、パット用打点部３の領域の上記最小径は、上記平面径ｒ１のうち最小のものとしても、上記曲面径ｒ２のうち最小のものとしても大差はないが、本発明において、パット用打点部３の領域の上記最小径は上記平面径ｒ１のうち最小のものとする。
また、パット用打点部３の輪郭形状は特定の形状に制限されるものではないが、パット用打点部３の平面への展開形状を、特に円形又は多角形とするのが好ましい。
図１（Ａ）〜（Ｃ）へ示すものは、各パット用打点部３を真円とする例である。
上述の通り、パット用打点部３は、上記頂点ｐを通りゴルフボール１の表面に沿う各方向の輪郭線ｍ間の上記接面ｋへ投影した幅即ち平面径ｒ１を、４ｍｍより大きなものとするのであり、パット用打点部３の上記輪郭線ｍが真円のこの例では、パット用打点部３の上記接面ｋへ投影した投影輪郭線ｎ（円）の直径を４ｍｍより大きなものとする（図３（Ａ））。また、パット用打点部３の輪郭線ｍの上記曲面径ｒ２について、ゴルフボール１の円周（全周）の１／２を超えないものとするのが好ましい。
パット用打点部３を上記の通り真円とする場合、上記平面径ｒ１を７ｍｍ以上とするのがより好ましく、特に上記平面径ｒ１を１０ｍｍ以上とするのが好ましい。
図１（Ａ）〜（Ｃ）へ示すパット用打点部３は、特に平面径ｒ１を、１０．６７ｍｍとする。
また、ここでは、複数のパット用打点部３について全て同じで形状・寸法のものを例示する。
【００１３】
図１（Ａ）〜（Ｃ）及び図３（Ａ）へ示すゴルフボール１は、表面の６箇所にパット用打点部３を備える。図１（Ａ）（Ｂ）へ二点鎖線で示す通り、球体であるゴルフボール１表面の１つの大円を第１大円ｄ１（仮想円）とし、第１大円ｄ２と直交する大円の１つを第２大円ｄ２（仮想円）として、パット用打点部３のうち２つは、ゴルフボール１表面における前記第１大円ｄ１と第２大円ｄ２の２つの交差点に配置され、他の４つのパット用打点部３は、夫々ゴルフボール１表面上前記両交差点から等距離にある第１大円ｄ２と第２大円ｄ２上の位置に配置される。特にこの例は、図１（Ｂ）へ示す通り、第１大円ｄ２と第２大円ｄ２の両大円と直交する第３大円ｄ３（仮想円）を想定して、第３大円ｄ３に対する第１大円ｄ２及び第２大円ｄ２の夫々の交差点へ、残りのパット用打点部３を配置したものである。
またパット用打点部３の上記頂部ｐが、当該パット用打点部３の属する上記大円上に位置するように、各パット用打点部３を配置するのが好ましい。特に、上記各大円ｄ１，ｄ２，ｄ３の交点に配置されるパット用打点部３は、その頂部ｐを当該交点と一致するように配置されるのが好ましい。但し各パット用打点部３の領域が上記大円に掛っておれば、当該大円から外れた位置に各パット用打点部３の頂部ｐが配置されるものであってもよい。
図１（Ｃ）はゴルフボール１表面について平面へ展開した状態を示す。図１（Ｃ）へ示す通り、各パット用打点部３は、正三角形の頂点をなしている。平面において正三角形の各頂点の角度は６０度であるが、図１（Ａ）（Ｂ）へ示す通り、パット用打点部３を球面へ配置した場合、上記三角形の各頂角は９０度をなすものであり、１つの三角形が球面であるゴルフボール１表面の１／８の面を占める。図１（Ｃ）へ示す例では上記三角形の頂点（前述の頂点ｐを直接指すのではなく上記三角形の３つの頂点の夫々を指す。）の夫々を３つのパット用打点３がなし、一列に配列された複数のディンプルが当該三角形の辺をなす。但し、図面の煩雑を避けるため、図１（Ｃ）では当該ディンプルの列に囲まれたディンプル即ち上記三角形の内側のディンプルについては、（Ｆ面を囲む）上記三角形の一つを代表として当該内側のディンプル全てを示し、Ｆ面以外の他の面を画する三角形についてその内部のディンプル２を省略して描いている。図１（Ｃ）は、正８面体配列と呼ばれる、球面に正三角形を８つ組み合わせた配列であり、ディンプル２を配置しボールを左右対称に分ける対称軸を３本有する配置を示している。
尚、パット用打点部３は、Ｎｏ．１〜Ｎｏ．６の６箇所に設けられるが、位置関係を分かり易くするため、図１（Ｃ）において、Ｎｏ．１とＮｏ．５とＮｏ．６は夫々重複して描いている。また、各パット用打点部３を頂点（上記の通り頂点ｐを直接指すものではない。）とする三角形の夫々は、ゴルフボール１表面を図１（Ｃ）に示すＡ面〜Ｈ面の８つの領域に画するものである。但し、図１（Ｃ）中Ｎｏ．１とＮｏ．２とＮｏ．６のパット用打点部３に囲まれるＡ面と、Ｎｏ．１とＮｏ．４とＮｏ．６のパット用打点部３に囲まれるＧ面は省略する。
【００１４】
この実施の形態において、パット用打点部３は、窪み即ち凹部のない球面とする。即ち、パット用打点部３である非ディンプル領域はその全体を球面とする以外造形を施さないものとして実施する。この他、ディンプル以外の造形をパット用打点部３へ施すものとしても実施できる。具体的には、パット用打点部３は、窪み即ち凹部のない完全な球面とする他、深さ０．３ｍｍ以下で直径０．９ｍｍ以下の範囲の凹部を設けて実施することができる。即ち、パット用打点部３は、表面を梨地とするなど、深さ０．３ｍｍ以下で直径０．９ｍｍ以下の範囲の凹部を複数設けたものであってもよい。パット用打点部３は、その領域中に上記ディンプル２を備えないものであればよく、ディンプル２に該当しない凹部を設けられていても、最小径について４ｍｍより大きな領域をパット用打点部３とすることができる。上記寸法範囲の凹部はディンプル２と異なり、パターと当該凹部の縁との接触でボールの打ち出し方向の精度を著しく害するものではないと考えられるからである。尚上記寸法範囲の凹部をパット用打点部３へ設ける場合、パット用打点部３の領域を越えてディンプル２に掛からないように配置する。
上記の他例えば、図７（Ａ）〜（Ｊ）へ示す溝４を、パット用打点部３の領域内へ設けて実施することもできる。上記溝４は、ゴルフボール１表面において太さを１ｍｍ以下とする。但し、パッティングにおけるパット用打点部３の効果を阻害しないものであれば、溝４の太さは上記数値を外れるものであってもよい。
図７へ例示する各溝４について具体的に説明する。尚図７の各図は、球面のゴルフボール１表面を平面へ展開した状態のパット用打点部３の領域内を示している。
図７（Ａ）へ示す通り、パット用打点部３である非ディンプル領域内に矩形の溝４を設けて実施することができる。上記溝４を、図７（Ｄ）へ示す矢印形や図７（Ｅ）へ示す楕円、図７（Ｆ）へ示すホームベース形、図７（Ｇ）へ示す星形とすることができ、更に上記溝４を図７（Ｉ）へ示す凹多角形の十二角形である十字形とすることもできる。また図示した以外に、溝４は、真円、楕円以外の長円、正方形、長方形、三角形、正五角形を呈するものとしても実施できる。また、パット用打点部３の領域内へ複数の上記溝４を設けるものとしても実施できる。図７（Ｃ）へ示す通り、一つの溝４が囲む領域内に他の溝４を設けるものとしても実施できる。図７（Ｃ）の例では各溝４について三角形を呈するものとしたが、各溝４を四角形以上の多角形や円や楕円その他の長円としても実施できる。また、図７（Ｊ）へ示す通り、外側の溝４とその内側の溝４の形状は異なるものであっても実施できる。図７（Ｊ）へ示す例では、外側の溝４が五角形を呈し内側の溝４が円を呈する。図７（Ｊ）へ示す例において外側の溝４を五角形以外の形状を呈するものとし内側の溝４を円以外の形状を呈するものとしても実施できる。また、溝４は、図７（Ｃ）や図７（Ｊ）へ示すようにパット用打点部３へ二重に設けるものの他、三重以上の多重に設けるものとしても実施できる。更に、複数の溝４同士は、図７（Ｃ）や図７（Ｊ）へ例示する包含関係を採らないものとしても実施できる。図７（Ｂ）は、二種以上の形状を呈する溝４が分布するものを例示している。即ち図７（Ｂ）に示す例では、パット用打点部３において、凹多角形としての４つの凹六角形が互いの向きを異にして配置されると共に二重円が１つ配置されている。当該４つの凹六角形は上記二重円を取り囲むように二重円の周囲に分布する。
図７（Ａ）〜（Ｇ）や図７（Ｉ）（Ｊ）へ示す通り、各溝４は環状に閉じたものとしてもよいが、図７（Ｈ）へ示すように溝４は端４０を備えた、環状以外の形状を呈するものとしても実施できる。図７（Ｈ）へ示す例では、孤を描いて伸びる４本の溝４が、当該孤のなす凸側を互いに向き合わせるよう配置されている。図７（Ｈ）の例において溝４は図示した４本に限定するものではなく、３本以下でも５本以上でも実施できる。また、溝４は孤以外の形状を呈するものであってもよい。
尚、図示は省略するが、パット用打点部３の縁に溝を設けて当該溝にてパット用打点部３の輪郭を規定するものとしても実施できる。
【００１５】
（グリーンでのゴルフボール１の取り扱い）
ゴルフボール１をグリーンに乗せた後、プレーヤーは、マークした場所に自らボールを置いてパッティングを行うことができる。このため、打ち出すパターのフェースに、上記パット用打点３が対面するようにボールをグリーンへ置けばよい。即ちプレーヤーは、上記法線（図２（Ａ）（Ｂ）の矢印ｓと逆方向）をパターのフェースの移動方向としパット用打点部３の頂点ｐを打つことができる向きにボールを置いてパットを行えばよい。
より具体的には、パッティング時、図２（Ａ）（Ｂ）へ示す接面ｋへパターのフェース（面）が一致するようにパターを振ってパット用打点部３の頂点ｐを当該フェースで打てばよい。
図２（Ｂ）へ示す接面ｋをパッティングの際のパターのフェースと見立てると、パット用打点部３の径即ち平面径ｒ１を４ｍｍより大きいもの特に５ｍｍ以上とすることで、当該パターフェースの弾力やゴルフボール１の弾力による変形を考慮しても、上記フェースにおいて、パット用打点部３周辺のディンプル２の縁との接触が回避できることが分かる。
この点についてより具体的に説明する。
【００１６】
図２（Ｂ）には、各ディンプル２の口径を３．３ｍｍとしパット用打点部の平面径ｒ１を１０．６７ｍｍとする直径４２．６７ｍｍのゴルフボールの上部を拡大して描いている。
パット用打点部３の平面径ｒ１をディンプル２の口径と同じ３．３ｍｍより小さいものとすると、上記接面ｋをパターフェースと見立てた場合、パターのフェースの弾力やゴルフボール１の弾力による変形を無視したとしても、上記図２（Ｂ）からディンプル１個分の径程度の、非ディンプル領域を確保することも難しく上記法線ｓに対する僅かなフェースの傾きでパット用打点部３周辺のディンプル２の縁との上記フェースとの接触を回避するのが困難となることが分かる。一方、パット用打点部３の曲面径ｒ２（図２）について、球面であるゴルフボール１の円周の１／２を超えるとパターに対しパット用打点部３にボールの球面上反対側に隠れる部分が生じ、どのように打ってもパターのフェースと接触する可能性はなく悪戯にディンプル領域を侵食するだけとなる。
特にパット用打点部３の曲面径ｒ２について２０ｍｍを超えるものとすると、３ｍｍ前後の口径のディンプル２ではボールの球面に沿って５個分以上非ディンプル領域を設定することになり、ゴルフボール１表面の上記６箇所へパット用打点部３を配置し対称性を確保するものとすると、当該６箇所を占める非ディンプル領域の占有範囲は極めて大きくなってしまう。
上記点を鑑みて本発明は、ゴルフボール表面において、インパクト時パターの打点にディンプル２があることでディンプル２の縁にパターが接触しカップと異なる方向へ打ってしまうということを防ぐため上記径ｒ１の非ディンプル領域としてゴルフボール１へパター用打点部３を設けた。またその一方で本発明は、ディンプル領域を必要以上に低減させたくないという要求を満たすものである。
【００１７】
（変更例）
パット用打点部３の輪郭形状における、図３（Ａ）へ示す真円以外の前述の多角形の例として、パット用打点部３は、図３（Ｂ）へ示す矩形を平面へ展開した輪郭形状とするものでもよい。
更にパット用打点部３の平面へ展開した輪郭形状は、楕円その他の長円や三角形、五角形、六角形、七角形以上の多角形、矢印その他の多角形、更には曲線と直線とが複合した図形として実施することができる。また、図３（Ｂ）には、パット用打点部３として長方形の輪郭を持つものを例示したが、正方形の輪郭を持つものとしても実施できる。勿論パット用打点部３の上記輪郭を多角形とする場合において、正多角形に限定するものではなく、上記長方形に限らず正多角形以外の多角形も含む。
パット用打点部３の上記輪郭線ｍが真円でない場合、パット用打点部３の最小径を４ｍｍより大きなものにするというのは、前述の通り頂点ｐを通る上記接面ｋ上の各方向の投影輪郭線ｎ間の幅を４ｍｍより大きなものにするということであり、頂点ｐを通る上記接面ｋ上の何れの方向についても投影輪郭線ｎ間の幅を４ｍｍより大きなものにするということである。
また、パット用打点部３の上記輪郭線ｍが真円でない場合において、前述の頂点ｐを通りゴルフボール１の表面に沿う各方向の輪郭線ｍ間の長さを前記球面の円周の１／２を超えないものにするというのは、上記頂点ｐを通りボールの球面に沿う何れの方向についても輪郭線ｍ間の長さを前記球面の円周の１／２を超えないものにするということであり、最大曲面径ｒ２をゴルフボール１円周の１／２を超えないものにするということである。
【００１８】
図３（Ａ）（Ｂ）へ示すように、パット用打点部３を取り囲むパット用打点部３直近のディンプル２の縁自身の平面へ展開した形状が、一つの円や四角形などの図形の一部と合致する場合、パット用打点部３の上記輪郭は、ディンプル２の縁が属する当該図形に象られたものとする。従って、当該図形が図３（Ａ）へ示す真円の場合、前述の通り当該真円の平面径ｒ１を４ｍｍより大きなものとし、当該真円の曲面径ｒ２についてゴルフボール１の円周の１／２を超えないものとするのである。当該図形が図４（Ｂ）へ示す矩形の場合、矢印で一部を例示する方向、即ち上記頂点ｐを通る接面ｋ上の何れの方向についても接面ｋへ投影した幅即ち平面径ｒ１を４ｍｍより大きなものとし、上記頂点ｐを通りゴルフボール１の球面に沿う何れの方向についての長さ即ち曲面径ｒ２も、ゴルフボール１の円周の１／２を超えないものとするということである。
更にパット用打点部を取り囲むディンプルの形状が他のディンプルの形状と同様の場合、例えば図４（Ａ）（Ｂ）へ示すように、パット用打点部３を取り囲む各ディンプル２の口の形状が他のディンプル２と同様円形（真円）の場合、パット用打点部３を直接取り囲むディンプル２間において、最短距離となる最小幅部分ｔをパット用打点部３とディンプル領域との境界線即ちパット用打点部３の輪郭線ｍの一部（仮想線）とすると共に、個々のディンプル２について当該最小幅部分ｔに挟まれた縁のうちパット用打点部３と接する側の縁である円弧部分ｅをパット用打点部３の輪郭線ｍの一部とする。
また、図３（Ｃ）（Ｄ）へ示す通り、パット用打点部３を画する直近のディンプル２の形態について、図３（Ａ）（Ｂ）へ示すものと図４（Ａ）（Ｂ）へ示すものとを複合したものとすることができる。図３（Ｃ）（Ｄ）及び図４（Ａ）（Ｂ）において、暗色で示す領域がパット用打点部３である。
図３（Ｃ）（Ｄ）へ示す例においても、図中の矢印にて一部を示す頂点ｐを通る接面ｋ上の各方向における投影輪郭線ｎ間の長さ即ち上記平面径ｒ１を４ｍｍより大きなものとする。また、図３（Ｃ）（Ｄ）へ示す例において、図中の矢印にて一部を示す頂点ｐを通る球面上の各方向における輪郭線ｍ間の長さ即ち当該各方向の曲面径ｒ２についてゴルフボール１の円周の１／２を超えないものとするのが好ましい。図３及び図４に示す各実施の形態において、上記頂点ｐを通る各方向の平面径ｒ１を４ｍｍより大きく２０ｍｍを超えないものとするのが好ましい。更には当該平面径ｒ１を７ｍｍ以上曲面径ｒ２を２０ｍｍ以下、とりわけ当該平面径ｒ１を１０ｍｍ以上曲面径ｒ２を２０ｍｍ以下とするのが好ましい。
【００１９】
また、図５（Ａ）（Ｂ）へ示す通り、パット用打点部３は、十字型に形成するものとしても実施できる。即ちパット用打点部３は、縦横２本の帯状の非ディンプル領域が交差する形状を採るものとしても実施できる。
図５（Ｂ）へ示す例では、十字を呈するパット用打点部３の中心線の少なくとも一方について当該パット用打点部３が属する上記大円と一致するように、各パット用打点部３を配置する。この他、図５（Ｃ）へ点線で示す上記中心線の何れも当該パット用打点部３が属する上記大円と一致しないように配置して実施することも可能である。
図５（Ｃ）の例では、上記中心線は、上記接面ｋへの投影において両大円ｄ１，ｄ２に対し４５度の角度をなす。但し上記中心線は、当該４５度に限定するものではなく、大円ｄ１，ｄ２に対し９０度や当該４５度以外の他の角度をなすものであっても実施できる。
図５（Ｂ）から図５（Ｃ）への配置の変更は、パット用打点部３を上記十字型に形成する場合に限らず、パット用打点部３が他の形状の輪郭を備える場合にも適用できる。例えば、パット用打点部３が前述の図３（Ｂ）へ示す矩形の輪郭を備える場合、当該矩形の長辺或いは短辺が上記大円の少なくとも一方と平行になるようにパット用打点部３を配置することもできるし、当該矩形の対角線の一つが上記大円と一致するようにパット用打点部３配置することもできる。
また、十字型のパット用打点部３については、２つの中心線（図５（Ｃ））が直交する形態を採るものとしたが、この他、両直線部分が９０度以外の角度で交差するものとしても実施できる。
尚、図５（Ａ）（Ｂ）へ示す例では、パット用打点部３が呈する十字の４つの端部ｊは、
丸みを帯びたもの即ち弧状のものとした。この他、上記十字の端部ｊを丸みのない直線としてもよい。即ちパット用打点部３の輪郭を凹多角形である十二角形としても実施できる。
各図において、ｕは、パット用打点部３が呈する十字の交差点を中心として四方へ放射状に伸びるパット用打点部３の凸状部分を示している。
【００２０】
図５（Ｂ）において、ｒ２１はパット用打点部３の曲面径ｒ２のうち最小のもの即ち最小曲面径を示し、ｒ２２はパット用打点部３の曲面径ｒ２のうち最大のもの即ち最大曲面径を示す。また図５（Ｂ）のｗ１は、上記弧状の端部ｊを除いた上記凸状部分ｕの幅を示している。即ち、図５（Ｂ）のｗ１は凸状部分ｕを当該パット用打点部３の頂点ｐにおける接面ｋへ投影した両側辺ｖ間の幅を示している。以下必要に応じて前記幅ｗ１を凸状部分ｕの太さｗ１と呼ぶ。この図５（Ｂ）へ示す例では、上記太さｗ１を４ｍｍより大きなものとするのが好ましい。当然のことであるが、上記最小曲面径ｒ２１を接面ｋへ投影した最小平面径ｒ１１即ち最小径は当該太さｗ１よりも大きい。
直径４２．６７ｍｍのゴルフボール１について、図５（Ｂ）の例では、パット用打点部３の最小平面径ｒ１１を４ｍｍよりも大きく、パット用打点部３の最大曲面径ｒ２２をゴルフボール１の（大円の）円周の１／４より小さいものとするのが好ましい。
特にパット用打点部３の最大曲面径ｒ２２を３２．９ｍｍより小さいものとし、上記太さｗ１について、最大曲面径ｒ２２を接面ｋへ投影した最大平面径ｒ１２の半分以下とするのが好ましい。但し、例えば大円ｄ１，ｄ２に対し図５（Ｃ）と同様の配置を採るものとすれば、最大曲面径ｒ２２は上記円周の１／４を超えるものであっても実施できる。パット用打点部３の形状を図５（Ｂ）（Ｃ）に示すものとする場合、パット用打点部３の上記端部ｊの一方と、当該パット用打点部３と隣り合う他のパット用打点部３の端部ｊとの間に、少なくとも１個以上のディンプル２が介在するものとするのが好ましい。但し図６（Ｅ）へ示す通り、上記端部ｊ同士が繋がったもの、即ち、互いに直交する３つの大円ｄ１，ｄ２，ｄ３夫々の全周に沿ってパット用打点部３が連続した１つの非ディンプル領域を形成するものとしても実施できる。図６（Ｅ）へ示すパット用打点部３は、上記大円ｄ１，ｄ２，ｄ３へ沿った３筋の環状部分にて構成されているのである。但し、直交する２筋の環状部分にてパット用打点部３を構成するものとしても実施できる。
上記の環状部分の夫々は、完全な輪になっている必要はなく、ディンプル２が介在して途切れる箇所を備えたものであってもよい。例えば上記環状部分は、途切れた個所を１箇所備えるＣ字状のものであってもよいし、途切れた個所を２個所以上備えるものであってもよい。
【００２１】
前述の通り、パット用打点部３の輪郭とすることができる多角形には凸多角形のみならず凹多角形を含むものであり、また図５へ示す十字型以外の凹多角形も含む。
図５（Ｂ）（Ｃ）の例も含め、上述の通りパット用打点部３を十字型とすることにより、十字の最大曲面径を大きく確保しつつも、例えば正方形や長方形、正五角形、正六角形といった凸多角形に比べて、ゴルフボール１表面でのパット用打点部３によるディンプル領域の専有範囲の侵食を抑えることができる。
そして図５（Ｂ）（Ｃ）の例を含め上記十字の中心線（図５（Ｃ）の上記点線）の一方を水平とするようにグリーン上にゴルフボール１を置いてパッティングを行うことにより、非ディンプル領域であるパット用打点部３の最大径を生かしてディンプル２の影響を排除したパッティングを行うことができる。
詳しくは、パッティングの打ち出し方向に大きな影響を与えるのは、パッティングのインパクトの瞬間パターフェースの打点（スイートスポット）に対し左右真横に位置するディンプル２であり、インパクトの瞬間当該打点に対し上下など他の位置にあるディンプル２の前記打ち出し方向に対する影響は大きくない。パターフェースは横長で縦幅より横幅のほうが大きいからである。従って、グリーン上にて、十字形に形成したパット用打点部３の最大径部分を左右横方向に伸びるようゴルフボール１を置くことによって、左右横長のパターのヘッドに対し、打点とできる十分な幅を左右横方向へ確保することができる。従って、ボール表面における各パット用打点部３配置の対称性を考慮してパット用打点部２を十字形に形成したとしても、必要な非ディンプルを十分に確保することができる。このため十字形のパット用打点部２は、同じ最大曲面径を採る円や凸多角形の輪郭を持つパット用打点部３に比べてディンプル領域の占有面積を大きく落とさずに済ますことができるのである。
尚、第１及び第２の大円ｄ１，ｄ２の交点に配置されたパット用打点部３について、当該十字の交点を両大円ｄ１，ｄ２の交点と一致させるのが好ましいが、一致させないものを排除するものではない。
また、図５（Ａ）へ示すようにパット用打点部３を画して正確な凹多角形の十字型とするようにパット用打点部３直近のディンプル２の輪郭を整える他、図５（Ｄ）へ示す通り直近のディンプル２も他のディンプル２と同じ形状とし、ディンプル２の配置で概ね十字を呈するものとしてもよい。図５（Ｄ）に示す場合も頂点ｐを通る各矢印方向の長さを曲面径ｒ２とし、当該曲面径ｒ２を接面ｋへ投影した各方向の平面径ｒ１の夫々を４ｍｍよりも大きな上記範囲にあるものとすればよい。
【００２２】
図６（Ａ）へ十字形のパット用打点部３の変更例を示す。図６（Ａ）に示すパット用打点部３では、ゴルフボール１表面の展開状態において凸状部分ｕの先端ｊを、当該凸状部分ｕの太さ方向へ直線的に伸びる辺とする。そして、前記先端ｊと一対の側辺ｖとがなす角ｊ１の夫々は、丸みを帯びている。この他前記角ｊ１を全く丸みのないものとして実施してもよい。図６（Ａ）に示すパット用打点部３は、図１（Ａ）へ示す円形の輪郭を備えた形態と上記の十字形の形態とを複合したものであり、十字の上記凸状部分ｕ間の谷間即ちパット用打点部３の凹状部分ｘは頂点ｐを中心とする円弧をなしている。図６（Ａ）へ示す例において、上記凹状部分ｘが呈する円弧のゴルフボール１の球面に沿った直径が最小曲面径ｒ２１となり、その接面ｋへ投影した円弧の径が最小平面径ｒ１１である。尚図６（Ａ）のパット用打点部３が呈する十字の交差部分を挟んで互いに反対側へ位置する一対の凸状部分ｕにおいて、前記頂点ｐを挟んで互いに対向し対をなす上記角ｊ１間の上記球面に沿った長さが、最大曲面径ｒ２２となる。図６（Ａ）の例において特にパット用打点部３における凸状部分ｕの上記太さｗ１を４ｍｍより大きなものとしパット用打点部３の上記最大曲面径ｒ２２を２０ｍｍを超えないものとするのが好ましい。
尚、図６（Ａ）中ｒ２３は、上記十字の属する大円の伸びる方向に沿った曲面径ｒ２を示しており、この例では上記最大曲面径ｒ２２一致しない。
パット用打点部３は、十字の交差部分へ上記図６（Ａ）へ示す円形の輪郭を複合しないものとし、上記凹状部分ｘは、Ｌ字状のコーナーをなすものとしても実施できる。
【００２３】
また、前述の凸状部分ｕの太さｗ１は凸状部分ｕの基部から先端に至るまでほぼ一定とした。この他、図６（Ｂ）に示すように、上記凸状部分ｕは、その基部側から当該凸状部分の先端に向けて漸次太さｗ１を小さくする、先細りのものとしてもよい。凸状部分ｕを先細りとする場合、凸状部分ｕの側辺ｖは平面への展開状態において直線的に伸びるものとしてもよいし、図６（Ｃ）へ示す通り側辺ｖは曲線的に伸びるものとしてもよい。図６（Ｂ）においてｗ２は上記凸状部分ｕの端部ｊの幅を示し、図６（Ｂ）（Ｃ）において、ｗ３は上記凸状部分の基部ｋにおける側辺ｖ間の幅を示している。図６（Ｂ）（Ｃ）において、上記幅ｗ２は１ｍｍ〜４．９ｍｍとし、上記幅ｗ３は４ｍｍより大きく１５ｍｍを超えないものとし、上記最大曲面径ｒ２２は２０ｍｍを超えないものとするのが好ましい。
図６（Ｂ）（Ｃ）においても、図６（Ａ）と同様十字の交差部分へ円形の輪郭を複合するものを示したが、当該円形の輪郭を複合しないものとしても実施できる。
図６（Ｄ）は、前述の図６（Ｅ）のパット用打点部３のなす環状の筋に前述途切れ部分を設けた例である。図６（Ｄ）の例では、途切れ部分は図６（Ｅ）の大円同士の交差部に設けられている。図６（Ｄ）において、ｗ０は各パット用打点部３の呈する筋の太さを示している。この太さｗ０は４ｍｍより大きく１５ｍｍを超えないものとするのが好ましい。また図６（Ｄ）における上記途切れ部分のゴルフボール１の曲面に沿った途切れ部分の幅も、上記太さｗ０とほぼ同じ大きさとするのが好ましい。但し、パットの精度向上とディンプル侵食の抑制とを両立できるものであれば、上記太さｗ０や上記途切れ部分の幅について、上記の範囲以外の大きさとして実施できる。尚上記太さｗ０は、図６（Ｄ）（Ｅ）へ示す例では一定としたが、上記数値の範囲内において上記筋の伸びる方向の各部において異なるものとしてもよく、その場合最も太さｗ０が小さい部分の当該太さｗ０を４ｍｍより大きなものとする。
【００２４】
上記の各実施の形態において、各パット用打点部３は、全て同じ形状・寸法とした。この他、複数のパット用打点部３は、複数種の異なる形状や異なる寸法にて構成することができる。複数のバット用打点部３を、複数種の異なる形状や寸法のもので構成する場合、ゴルフボール１の球の中心について点対称となる位置にある一対のパット用打点部３を同じ形状・寸法のものにするのが好ましい。
【００２５】
パット用打点部３は、パッティングにおけるディンプル２の影響の抑制というグリーンでのプレーの問題排除と、ドライバーによる第一打の飛距離の確保といったフェアウエイでのプレーの問題排除の両立から、図１（Ｂ）へ示す６箇所へ設けるのが好ましい。即ち、直交する２つの大円において、各大円の夫々へ等間隔に４箇所パット用打点部を配置するのが好ましい。
但し、各大円上の５箇所以上にパット用打点部３を設けて全体として７箇所以上のバット用打点部３を備えるものとしても実施できる。また、フェアウエイでのプレーへの影響を考慮する必要がない場合、パット用打点部３を、ゴルフボール１表面の１箇所のみ設けるものとしてもよい。この他、パット用打点部３は、ゴルフボール１表面の、２箇所、３箇所、４箇所或いは５箇所へ設けることができる。パット用打点部３をゴルフボール表面１の２箇所へ設ける場合、ゴルフボール１のなす球の中心を挟んで両パット用打点部３同士が反対側へ位置する即ち当該中心について点対称となる位置に配置するものとするのが好ましい。また、パット用打点部３をゴルフボール１表面の、３箇所、４箇所或いは５箇所へ設ける場合、ゴルフボール１表面の１つ大円（仮想線）上に外に等間隔を開けて各パット用打点部３を配置するのが好ましい。但し、ディンプルの影響を排してパットのコントロール向上を図ることができるものであれば、上記配置箇所や配置数以外の配置箇所や配置数にて実施してもよい。
この他パット用打点部３は、ゴルフボール１表面の７〜１８箇所へ設けることができる。パット用打点部３の配置は、フェアウエイでのドライバーなどのクラブによる飛距離や打ち出し方向に対する影響を抑えるため、上記の通り互いに略均等な間隔を開けて配置されるものとしても実施できるが、当該影響を考慮する必要がない場合、不均等に更には不規則に配置するものとしても実施できる。
上述してきた各実施の形態において、パット用打点部３は、全体が略球であるゴルフボールの球面の一部をなすものとした。パット用打点部３は、パッティングの際パターとディンプルとの接触を回避することができるものであれば、ゴルフボールのなす球面に完全に一致するものに限定するものではなく、パット用打点部３を他の球面や凸曲面としても実施できる。
この他、パット用打点部３は、ディンプルのない平らな面としても実施できる。パット用打点部３を平らな面とする場合、パット用打点部３をディンプル領域と画するパット用打点部３の輪郭即ち、パット用打点部３は丸みを帯びたものとするのが好ましい。
【００２６】
ディンプル２の形状についても、図示したもの即ち口が真円の輪郭を備えたものに限定するものではなく楕円その他の長円や他の曲線的形状或いは多角形、直線と曲線の複合された輪郭を備えたものとして実施することができる。ディンプル２の輪郭を多角形とする場合、六角形や五角形以下の多角形或いは七角形以上の多角形として実施することができる。
更に上述してきた複数のディンプルは、全て同じ形状・寸法のものとした。この他、複数のディンプルは、異なる形状や寸法のもので構成されたものとしても実施できる。
例えは口径の異なる複数種のディンプルをゴルフボール表面に備えるものとしてもよいし、深さの異なる複数種のディンプルをゴルフボール表面に備えるものとしてもよい。
【００２７】
また、ディンプル２が呈する窪みの形状についても、上記の全体が凹曲面をなす中華鍋型とする他、底が平らなフライパン型としてもよい。例えばディンプル２を凹型のディンプルの中にもう一段のくぼみがある二重ディンプル形状は、ディンプルの直径を大きくしなくてもディンプル容積を大きくとれるため、飛行の後半にボールの速度が落ちてからもまっすぐに落ちず、飛距離を伸ばすことができる。ディンプル２をダブルラジアスと呼ばれる、断面形状を異なる曲率を有する２種の曲面（ダブルラジアス）で構成されたものとすることにより、ボールの弾道を上げ飛距離を増大することができる。但し、ディンプル２をシングルラジアスとして実施してもよい。また、ディンプル２をディスクリートディンプルと呼ばれる、断面形状を直線と曲面で構成されたものとすることにより、通常のディンプルに比べて抗力が減少し浮力が増すので、スピン量が維持され飛行中の弾道がさらに安定化し、飛距離を得ることができる。
【００２８】
また複数のディンプル２のゴルフボール１表面での配置や分布についても図１（Ｃ）や図３、図４、図５（Ａ）（Ｄ）へ示すものに限定するものではなく、他の配列や分布を採用して実施することができる。例えば、球面に正五角形を１２面組み合わせた配列でありディンプル配列上から見てボールを左右対称に分ける対称軸が１０本ある１２面体配列や、球面に正三角形を２０面組み合わせた２０面体配列や、正２０面体設計を進化させて球面に６０面体配分によるディンプル配列をなす６０面体配列や、一つの円の回りに６つの円を並べボール全体にディンプル２を敷きつめた六方細密配列を採用して実施することができる。但し、上記配列は例示であり、パット用打点部３の形成を阻害するものでない限り、ディンプル２について例示した以外の配列を採用するのを制限するものではない。
また、パット時のディンプルの影響を回避することができれば、図１（Ａ）〜（Ｃ）に示すパット用打点部３の配置箇所や配置数に限定するものではなく、例えば上記１２面体配列の五角形の頂点や、上記２０面体配列や６０面体配列の三角形の頂点の夫々にパット用打点部３を配置して実施することができる。
図３、図４及び図５（Ａ）（Ｄ）へ示す各実施の形態において、隣り合うディンプル２間には間隔が設けられているが、このような間隔を設けずに実施することも可能である。
【００２９】
（実験）
パット用打点部３の効果確認のため、図８及び図９へ示す実験装置を用意し実験を行った。
上記実験装置として、図８（Ａ）（Ｂ）へ示す、床に敷いたパター練習用の市販のパターマットｃと、発明者が製作したパッティング装置ｆとを用いた。
パターマットｃはグリーンに見立てたものであり、パッティング装置ｆが打ったゴルフボール１をパターマットｃ上にて転がし、所定距離ａ転がった後のゴルフボール１のパターマットｃ右端ｃ３からの距離ｂを計測した。
上記所定距離ａは、パッティング装置ｆにてゴルフボール１を打つ側のパターマットｃの端を始端ｃ１として、カップ側即ち転がり先となるパターマットの端を終端ｃ２とし、始端ｃ１側から終端ｃ２に至るまでの途中にゴルフボール１を止める当たりｃ４をパターマットｃ上に設けて規定したものである。パッティング装置ｆに打たれたゴルフボール１が当該当たりｃ４まで転がる距離を上記所定距離ａとして２０００ｍｍに設定した。
図８（Ｂ）のｃ５は、パッティング装置ｆにてパットを行う際のゴルフボール１の置く位置即ちゴルフボール１の中心位置を合わせるためのマークを示している。
【００３０】
図８（Ａ）へ示す通り、パッティング装置ｆは、市販のキャスタｆ２へ市販のハンマーｆ３を固定し、当該キャスタｆ２をキッチンラックｆ１に取り付けることにより作製したものである。パッティング装置ｆは、図８（Ｂ）では省略しているが、図８（Ａ）へ示す通りパターマットｃの始端ｃ１側に設置される。
キッチンラックｆ１は、キッチンストレージなどの金属製の棚である。キッチンラックｆ１自身は、脚部にキッチンワゴンのようなキャスタを備えないものである。
キャスタｆ２は、車輪ｆ２１と、当該車輪ｆ２１が回動自在に軸止された軸受け部ｆ２２とを有する。車輪ｆ２１の外周の一か所へ治具ｆ５を用いて上記ハンマーｆ３を固定した。
治具ｆ５は、図９（Ａ）〜（Ｄ）へ示す通り、端部へ雄螺子を備えるＵ字状のシャフトｆ５１と、当該シャフトｆ５１の両端へ通される座板ｆ５２と、当該シャフトｆ５１の雄螺子に螺合する雌螺子を有するナットｆ５３とを備えたものである。当該シャフトｆ５１を車輪ｆ２１のホイル部分へ通し、車輪ｆ２１のタイヤ部分と共に上記シャフトｆ５１のＵ字の内側にハンマーｆ３の柄ｆ３２とスペーサｆ４とを配置し、車輪ｆ２１外周と上記座板ｆ５２とにてハンマーｆ３の柄ｆ３２とスペーサｆ４とを挟み上記ナットｆ５３を締め付けることにより、ハンマーｆ３を車輪ｆ２１へ固定した。スペーサｆ４には、付箋（紙片）を束ねたものを使用した。
【００３１】
車輪ｆ２１及びハンマーｆ３を床と接触しないように即ち床より上方へ位置するように、キャスタｆ２の上記の軸受け部ｆ２２を、キッチンラックｆ１の最下段の棚部分に取り付けた。
図９（Ａ）（Ｂ）へ示す通り、キッチンラックｆ１の上記棚部分には、上記治具ｆ５の端部又は上記ナットｆ５３を引っ掛けて、ハンマーｆ３の頭部ｆ３１を持ち上げた状態に保持するフックｆ６が設けられている。
フックｆ６は、Ｊ字型のシャフトであり、図９（Ｂ）へ矢印で示すように、キッチンラックｆ１に対して、回動自在に取り付けられている。図９（Ｃ）（Ｄ）へ示す通り、フックｆ６を回転させることにより、引っ掛けていた治具ｆ５の端部又はナットｆ５３を解放する。当該解放によりハンマーｆ３は自重にて車輪ｆ２１を回転させ、頭部ｆ３１をパターマットｃ上のゴルフボールｃへ振り下ろすことができる。フックｆ６は、ハンマーｆ３の頭部ｆ３１を一定の高さに保持するものであり、ハンマーｆ３１の解放は、フックｆ１を指先で上記の通り回転させることにより行うことができる。このため、誰が実験を行っても、ゴルフボール１以外のパッティングの条件を一定とすることができる。
尚、上記ハンマーｆ３の頭部ｆ３１（金属部分）の重さは４５０ｇであり、柄ｆ３２などの頭部ｆ３１の取付部品の重さは２０３gであり、取付部品を含むハンマーｆ３全体の重さは６５３ｇである。
また、キャスタｆ２の上記車輪ｆ２１の外径は、１２５ｍｍであり、ハンマーｆ３を固定した車輪ｆ２１の中心軸からハンマーｆ３の頭部ｆ３１の重心までの距離ｈを９３ｍｍとした（図９（Ａ））。
ハンマーｆ３は柄ｆ３２をほぼ鉛直に立てた振り上げ（図９（Ａ））状態から柄ｆ３２をほぼ水平になるよう約９０度振り降ろすことにて（図９（Ｃ））ゴルフボールの打撃を行う。
【００３２】
上記実験は、図示したパッティング装置ｆを用いることにて、バッティングに際して比較対象とするゴルフボール以外の条件を極力一定とする工夫がなされたものである。即ち、実験は、上記ハンマーｆ３をパターに見立て、ハンマーｆ２１の重さによるモーメントを利用して車輪ｆ２１を回転させてハンマーｆ３を振り下しゴルフボール１を打つものである。パッティング装置ｆにより、１つのゴルフボール１のパッティングを複数回行い、パターマットｃ右端ｃ３からの距離ｂのばらつきを調べた。当該パッティング回数は２０回とした。
上記パッティングに際して、ハンマーｆ３の打撃面ｆ３３へ図８（Ｄ）へ示す通り、感圧紙であるインパクトマーカｆ３４を張り付けておき、２０回パッティングを行った後のインパクトマーカｆ３４の変色範囲の寸法を調べた。具体的には、円形定規でインパクトさマーカの変色部分の最大径を図った。即ち、円形定規の円のうちインパクトマーカｆ３４の変色部分がはみ出ない最小のものを確認した。
【００３３】
上記の図８及び図９へ示す実験装置を用いて、次の実験１〜６の実験を行った。
実験１及び２は、比較例として図１０（Ａ）へ示す周知の一般的な２種のゴルフボール１にてパッティングを２０回行い夫々上記距離ｂを調べた。
実験１及び実験２に用いたゴルフボール１の夫々は、何れも改造されていない。即ち実験１及び２の対象としたゴルフボール１については、図１０（Ａ）へ示す通り、ゴルフボール１のコア１０全体について、ディンプル２を備えるカバー１１が覆ったものである。
実験１のゴルフボール１として、具体的にはキャロウェイゴルフ株式会社（東京都港区白金台５−１２−７ ＭＧ白金台ビル）のCHROME SOFTボール（商品名）を用いた。
実験２のゴルブール１として、キャスコ株式会社（香川県さぬき市志度５４１２）のKIRA KLENOT(キラ クレノ／登録商標)を用いた。KIRA KLENOTは、前述の中華鍋タイプのディンプル２を備える。
【００３４】
実験３として、次の実験３の１と実験３の２を行った。
実験３の１には、図１０（Ｂ）へ示す通り、上記カバー１１の一部をディンプル１個分の４ｍｍ径除去したゴルフボール１についてパッティングを２０回行い夫々上記距離ｂを調べた。図１０（Ｂ）へ示すゴルフボール１において、カバー１１の上記一部を切除した部分は、ほぼ平らである。
実験３の２では、図１０（Ｃ）へ示す通り、図１０（Ｂ）に示すゴルフボール１のカバー１１の切除部分の縁を、回転工具（ミニルータ）でヤスリ掛けしてほぼ平らにし、６ｍｍ径の疑似パット用打点部３１を形成した。当該疑似パット用打点部３２を上記ハンマーｆ３で打つパッティングを２０回行い夫々上記距離ｂを調べた。
上記の実験３で改造用のゴルフボール１として、アクシネット ジャパン インク（東京都港区北青山２丁目１１番３号 Ａ−ＰＬＡＣＥ青山）のタイトリスト（登録商標）Ｖ1（REFINISHED）を用いた。
【００３５】
実験４は、図１０（Ａ）へ示す従来のゴルフボール１のうちKIRA KLENOTについて、図１０（Ｄ）へ示すように、口径５ｍｍのディンプルの１つを水性アクリル樹脂系の目地シール５にて平らに埋めて硬化即ち２４時間経過させ、疑似パット用打点部３２とした。上記目地シール５としてセメダイン株式会社（東京都品川区大崎１−１１−２ ゲートシティ大崎イーストタワー）の目地シール（品番ＨＪ−１３７）を用いた。
実験４において改造するゴルフボール１として、実験２で用いたKIRA KLENOTを使用した。
【００３６】
実験５では、市販のゴルフボール１としてキャロウェイゴルフ株式会社（東京都港区白金台５−１２−７ ＭＧ白金台ビル）のHX-TOUR（商品名）からディンプルが設けられた表面のカバー１１（図１０（Ｅ）の破線）を剥いで、ディンプルの無い全体を球面とするボールについて上記装置にてパッティングを行った。
実験１０の改造に用いたゴルフボール１は、上記のCHROME SOFTボールである。
図１０（Ｅ）のゴルフボールについては、カバー１１が完全に剥がされてパターマットｃ上を転がり難くなっているため、上記所定距離ａを１７００ｍｍに設定した。
尚上記何れの実験においても、パッティング装置ｆにてゴルフボール１を打つ強さは、所定距離ａに届くものに設定しているが、この強さは、当たりｃ４がない場合であっても、所定距離ａを大きく超えるものではない。従って当たりｃ４を配置した場合において、当たりｃ４に当たっても大きく跳ね返るものではなく、当たりｃ４に当たったゴルフボール１は当たりｃ４の傍に留まる。
【００３７】
実験６では、ゴルフボールを全て上記KIRA KLENOTに統一して、次の実験６の１及び実験６の２を行った。
実験６の１では、ゴルフボールを上記KIRA KLENOTとすること以外の条件を全て上記実験１と同様とした。また、実験６の２では、実験３の２と同様の手法で、即ちゴルフボール１のカバー１１を５ｍｍ径切除し当該切除部分の縁を、回転工具（ミニルータ）でヤスリ掛けしてほぼ平らにし、７ｍｍ径の疑似パット用打点部３１を形成した。当該疑似パット用打点部３２を上記ハンマーｆ３で打つパッティングを２０回行い夫々上記距離ｂを調べた。実験６の２についてもゴルフボールを上記KIRA KLENOTとし疑似パット用打点部３２の径以外の条件は上記実験３の２と同様である。
【００３８】
表１に実験１、表２に実験２、表３に実験３、表４に実験４、表５に実験５、表６に実験６の結果を示す。
表１に示す通り、実験１の３回目と５回目にパターマットｃの右端ｃ３からのゴルフボール１の距離ｂが最大の１１０ｍｍを記録し、１９回目に当該距離ｂが最小の８７ｍｍを記録した。実験１のパッティングにおいて上記距離ｂの最大値１１０ｍｍと最小値８７ｍｍの差は、２３ｍｍであった。
また、表２へ示す通り、実験２の４回目の上記距離ｂが最大の１７８ｍｍを記録し、１３回目と１８回目の上記距離ｂが最小の４３ｍｍを記録した。実験２のパッティングにおいて上記距離ｂの最大値１７８ｍｍと最小値４３ｍｍの差は、１３５ｍｍであった。
【００３９】
表３へ示す通り、実験３の１の２回目と１６回目に上記距離ｂが最大の１１０ｍｍを記録し、１１回目に上記距離ｂが最小の７０ｍｍを記録した。実験３の１のパッティングにおいて上記距離ｂの最大値１１０ｍｍと最小値７０ｍｍの差は、４０ｍｍであった。
そして表３へ示す通り、実験３の２の２０回目に上記距離ｂが最大の１０９ｍｍを記録し、３回目と８回目に上記距離ｂが最小の１０６ｍｍを記録した。実験３の２のパッティングにおいて上記距離ｂの最大値１０９ｍｍと最小値１０６ｍｍの差は、僅か３ｍｍであった。
表４へ示す通り、実験４の１２回目と１５回目に上記距離ｂが最大の１１２ｍｍを記録し、１回目に上記距離ｂが最小の１０５ｍｍを記録した。実験４のパッティングにおいて上記距離ｂの最大値１１２ｍｍと最小値１０５ｍｍの差は、僅か７ｍｍであった。
表５へ示す通り、実験５の４回目と６回目と９回目に上記距離ｂが最大の８９ｍｍを記録し、１３〜１５回目と１７回目に上記距離ｂが最小の８３ｍｍを記録した。実験５のパッティングにおいて上記距離ｂの最大値８９ｍｍと最小値８３ｍｍの差は、僅か６ｍｍであった。
尚実験５については前述の通り所定距離ａを１７００ｍｍに設定しており、他の実験と条件が異なるので参考例として記載したが、所定距離ａの比率２０００ｍｍ／１７００ｍｍを上記距離ｂの最大値と最小値の差６ｍｍに掛けても７ｍｍ程度の差にしかならないことが分かる。
表６へ示す通り、実験６の１の４回目に上記距離ｂが最大の１７８ｍｍを記録し、１３回目と１８回目に上記距離ｂが最小の４３ｍｍを記録した。実験６の１のパッティングにおいて上記距離ｂの最大値１７８ｍｍと最小値４３ｍｍの差は、１３５ｍｍであった。
また表６へ示す通り、実験６の２の８回目と９回目に上記距離ｂが最大の１２２ｍｍを記録し、２回目に上記距離ｂが最小の１０６ｍｍを記録した。実験６の２のパッティングにおいて上記距離ｂの最大値１２２ｍｍと最小値１０６ｍｍの差は、１６ｍｍと僅少であった。
【００４０】
実験３の２及び実験４において、パッティング後のインパクトマーカｆ３４の変色範囲の最大径は４ｍｍを超えないものであった。図８（Ｅ）へ示す通り、ゴルフボール１への着色や印刷によるマーキングとして十字の指標６を描いておき、平面視した際にマークｃと当該十字の中心とが一致するようにゴルフボール１をパターマットｃ上に置くことにより、上記４ｍｍを越えない変色範囲を得られた。記載は省略するが、発明者は、上記指標６を描かずにゴルフボール１の位置合わせを行った場合も、インパクトマーカｆ３４の変色範囲は７ｍｍを超えないことを確認している。
また、実験５で用いたゴルフボール１にインパクトマーカを貼りつけて変色範囲を見ると最大径が４ｍｍを超えるものではなかった。実験５で用いたゴルフボール１は図１０（Ｅ）へ示す通りカバー１１が完全に除去され、ゴルフボール１の直径を４２．６７ｍｍよりも若干小さいものとしている。このため、曲面に貼られた上記インパクトマーカの変色範囲の径は曲面径ｒ２と見ることができるが、この大きさでは平面径ｒ１と同一視することができる。
本発明に係る実施品としてのゴルフボール１は、図１０（Ｆ）へ示す通り、ゴルフボール１のカバー１１にディンプル２と共に、球面をなすパット用打点部を形成するものである。図１０（Ｄ）（Ｅ）は、製品化されていない出願段階における上記実験のための代用品即ち疑似実施品として形成したものである。図１０（Ｄ）（Ｅ）にて上記良好な結果を得、図１０（Ｆ）の実施品についても、図１０（Ｄ）（Ｅ）と同様かそれ以上の良好な結果を期することができる。
尚図１０の各図において、図面に付すべきハッチングは煩雑を避けるため省略した。
【００４１】
上記実験結果から、パット用打点部３の最小径を５ｍｍ以上、特に６ｍｍ以上、更には７ｍｍ以上とするのが好ましいことが把握できる。上記実験結果は、上記指標の付加により、変色範囲を４ｍｍ以内に留めることができたものである。一方、指標がない場合でも、インパクトマーカの最大変色範囲は７ｍｍである。従って、指標に頼らないものとすると、パット用打点部３の上記最小径は７ｍｍとするのが好ましい。また、実験装置にて安定したパットを再現できるものであるが、ゴルフ経験の浅い者などを考慮すると、フェアウエイでの飛距離に影響しない範囲において、パット用打点部４は大きければ大きいほどパット精度を確実に向上することができる。このような観点から前述の通りパット用打点部４は、平面径ｒ１を８ｍｍ特に１０ｍｍ以上とし、６個程度のパット用打点部３をゴルフボール１の表面へ略均一に分布させるものとして各パット用打点部３曲面径ｒ２を２０ｍｍ以下とするのが好ましい。
【００４２】
【表１】
0005993105.tif 000002
【００４３】
【表２】
0005993105.tif 000003
【００４４】
【表３】
0005993105.tif 000004
【００４５】
【表４】
0005993105.tif 000005
【００４６】
【表５】
0005993105.tif 000006
【００４７】
【表６】
0005993105.tif 000007
【００４８】
（概括）
本発明において、略球体であるゴルフボール１は、当該球表面から当該球の中心側へ後退する複数のディンプル２を備えるものであって、周囲を前記複数のディンプル２に取り囲まれると共に前記ディンプル２を備えない非ディンプル領域としてゴルフボール１の球面の一部をなす、パット用打点部３を複数備えるものであり、各パット用打点部３について、平面径ｒ１を４ｍｍよりも大きなものとし、曲面径ｒ２をゴルフボール１の円周の１／２を超えないものとするのが好ましい。
各パット用打点部３同士は等間隔を開けてゴルフボール表面へ均一に分布する。
最も好ましくは、このゴルフボール１は、表面の６箇所にパット用打点部３を備えるものとし、図１（Ｂ）へ示す配置を採る。即ち、球体であるゴルフボール１表面の１つの大円を第１大円ｄ１（仮想円）とし、第１大円ｄ２と直交する大円の１つを第２大円ｄ２（仮想円）として、パット用打点部３のうち２つは、ゴルフボール１表面における前記第１大円ｄ１と第２大円ｄ２の２つの交差点に配置し、他の４つのパット用打点部３は、夫々ゴルフボール１表面上前記両交差点から等距離にある第１大円ｄ２と第２大円ｄ２上の位置（両交差点間の中間点）へ配置するという位置関係を採る。
また、上記以外に、パット用打点部３は、前記表面上にて直交する少なくとも２つの大円の夫々に沿って形成された、少なくとも２筋の環状の領域とし、パット用打点部がなす環状の前記筋の夫々は、前記球面上において当該筋の環状に伸びる方向と直交する方向の幅即ち当該筋の太さを４ｍｍよりも大きなものとするのが好ましい。
本発明は、上記構成にて、フェアウエイにおけるプレーでのディンプル２の効果を必要以上に阻害せずに、グリーンでの上記パッティングの打ち出し精度を高めることを可能としたのである。
【００４９】
従って、本発明は、ショートパットを外したくない場合に、ボールのコントロールが行い易いゴルフボールを提供できたのである。即ち、ゴルフボール１の表面に特定の配置でディンプルの無い箇所をパット用打点部３として設けることにより、ショートパットを外したくないプレーヤーが競技や趣味のゴルフにおいて、パターを含むゴルフクラブのフェースとゴルフボールが接触したときに、ゴルフボールの表面に設けたディンプル即ちゴルフボールの球状の表面に設けられたフライパン型や中華鍋型の凹凸の影響を、ゴルフボールのグリーンへの置き方によって抑制することができる。
尚、グリーン上でカップにアプローチするパッティングは、通常パターを用いるが、他のクラブを用いて行うパッティングについても、上記パット用打点部３を利用すればよい。
上述の通り本発明は、パッティングにおけるゴルフボール１表面のディンプル２の影響を、グリーンでのゴルフボール１の置き方で極力少なくすることができる表面の形態をゴルフボール１へ付与したものである。
特に、本発明は、ＵＳＧＡ（米国ゴルフ協会）、Ｒ＆Ａ（英国ゴルフ協会）及びＪＧＡ（日本ゴルフ協会）などが定めるゴルフボールの公認球を用いて公式競技やゴルフ場で使用するゴルフボールについてゴルフボールの表面の形状及び構造について新たに創作し提案するものである。
本発明に係るゴルフボールについては、上記各ゴルフ協会の規定に沿った公認球として実施する他、非公認の競技や練習に使用するゴルフボールとして実施するのを排除するものではない。
【００５０】
尚、公式の試合に使用することができる公認球については、１９８１ 年にＵＳＧＡ（米国ゴルフ協会）及びＲ＆Ａ（英国ゴルフ協会）がボールに対する特殊な飛行特性を禁じる対称性規則を設定し、ボールの対称性を求めている。即ちゴルフボール製造時の金型の繋ぎ目であるシームを水平と垂直にした２方向からスイングロボットで打ち比べた各々のグループの平均値の差について、キャリー４．０ヤードで尚且つフライトタイム０．４秒以内と定められている。本発明に係るゴルフボール１を公認球とする場合、上記平均値の差について，キャリー４．０ ヤード且つ，フライトタイム０．４ 秒以内とするよう、ディンプル２及びパット用打点部３をゴルフボール１表面へ配置すればよい。
【符号の説明】
【００５１】
１      ゴルフボール
２      ディンプル
３      パット用打点部
４      溝
１１    （ゴルフボールの）カバー
ｄ１    第１大円（仮想円）
ｄ２    第２大円（仮想円）
ｅ    （ディンプルの）円弧部分
ｋ      接面（仮想面）
ｍ    （パット用打点部３の）輪郭線
ｎ    （輪郭線ｍの）投影輪郭線
ｐ    （パット用打点部３の）頂点
ｒ    （ゴルフボール１の）直径
ｒ１  （パット用打点部３の）平面径
ｒ２  （パット用打点部３の）曲面径
ｒ２１  （パット用打点部３の）最小曲面径
ｒ２２  （パット用打点部３の）最大曲面径
ｔ  （ディンプル１間の）最小幅部分
【要約】      （修正有）【課題】ゴルフボールの表面を改良してパッティングの打ち出し精度を高める事が可能なゴルフボールの提供。【解決手段】略球体であるゴルフボール１は、球表面から球の中心側へ後退する複数のディンプル２を備えるものであって、周囲を複数のディンプル２に取り囲まれると共にディンプル２を備えない非ディンプル領域としてゴルフボール１の球面の一部をなす、パット用打点部３を複数備えるものであり、各パット用打点部３は、最小径を、５ｍｍ以上とする。ゴルフボール１表面の複数箇所にパット用打点部３が備えられ、各パット用打点部３同士は等間隔にゴルフボール表面へ均一に分布する。【選択図】図１【図１】
0005993105.tif 000008
【図２】
0005993105.tif 000009
【図３】
0005993105.tif 000010
【図４】
0005993105.tif 000011
【図５】
0005993105.tif 000012
【図６】
0005993105.tif 000013
【図７】
0005993105.tif 000014
【図８】
0005993105.tif 000015
【図９】
0005993105.tif 000016
【図１０】
0005993105.tif 000017